(57)【要約】      （修正有）【課題】小型コンパクト化を図りながら、掴んだ魚が暴れても把持し続けることができる魚掴み器を提供する。【解決手段】魚掴み器１は、本体部２を備え、本体部２は、本体部２の表裏面板となる板状の第一本体部３、第二本体部４を備え、本体部２の先端側から第一可動歯５、第二可動歯６が背反する左右方向に突出し、後端側から第二可動歯６側に湾曲した状態の把持部７が突出している。把持部７を、本体部２に対して垂下姿勢から左右方向に揺動自在に軸支して魚が暴れたときの対応ができるようにすると共に、自然状態で第二可動歯６側に付勢弾機１６を介して付勢する第二折曲姿勢に位置するようにして把持しやすいようにする。【選択図】図１
0003229016.tif 000002
【実用新案登録請求の範囲】
【請求項１】
先端側に釣り上げた魚の口を挟持状に掴むべく開閉する一対の歯体が設けられ、基端側に歯体の開閉操作をするための操作体が設けられた本体部と、該本体部の基端側部位から延設され、手で把持するための把持部とを備えて構成される魚掴み器において、
前記本体部と把持部とは、把持部に対して本体部が垂下する垂下姿勢と、折曲する折曲姿勢とに変姿するよう揺動自在に軸支されると共に、
本体部と把持部とのあいだには、自然状態で折曲姿勢になるよう付勢する付勢弾機が設けられていることを特徴とする魚掴み器。
【請求項２】
歯体は、操作体操作に連動して開放移動する第二歯体と、操作体操作があっても不動のままか、第二歯体より移動量が小さい第一歯体とからなり、
把持部の本体部に対する折曲姿勢は、把持部が第二歯体側に向けて折曲するものであることを特徴とする請求項１記載の魚掴み器。
【請求項３】
把持部は、第二歯体側に向けて湾曲していることを特徴とする請求項１または２記載の魚掴み器。
【請求項４】
把持部の揺動範囲は、第二歯体側に折曲した折曲姿勢から垂下姿勢を越えて第一歯体側に向けて折曲した逆側の折曲姿勢までの範囲であることを特徴とする請求項３記載の魚掴み器。
【考案の詳細な説明】
【技術分野】
【０００１】
本考案は、魚釣りにおいて釣り上げた魚等の魚を、該魚の口元を内外から挟持状に掴んだ状態で持ち上げることができる魚掴み器の技術分野に関するものである。
【背景技術】
【０００２】
今日、魚釣りにおいて釣り上げた魚を人手で接触することをせず、魚掴み器を用いて掴む（挟む）ようにし、これによって人手の魚への直接的な接触回避をした状態で魚から針を外すことがあり、このような場合に、魚の口元（口部）を内外から挟持状に掴んだ状態で該魚を持ち上げる（吊り上げる）ことができるようにした魚掴み器が提唱されている。
ところでこのような魚掴み器として、魚の口元を掴むものでなく、魚の胴部を、鋏やトングのように単純に両側から掴む（挟む）構造にしたものが提唱されているが、該胴部を掴むものの場合、胴部が掴まれた状態の魚は、頭部が自由状態（拘束がない状態）であるため、魚が少し暴れた場合でも口元位置が安定化しないこともあって針外し作業がしづらいだけでなく、常時、適宜の把持力で胴部を掴んでいる必要があるため作業性が悪く、しかも魚が急に暴れたときに即座に把持力を強化できないことにより魚を落としてしまうことがあり、このような傾向は魚が大きいほど顕著になるという問題がある。
これに対し口元を掴むものは、一対の歯体のうちの一方の歯体を口の中に入れた状態で、他方の歯体を口の外側から宛がうようにして内外から口元を挟持することで掴む構成になっているため、魚の掴み状態で魚を持上げたときに魚が暴れたとしても、頭部位置は拘束された状態であるため大きく位置ずれすることがなく、このため針外し作業がしやすいという利点がある。
しかもこのような魚の口元を掴む魚掴み器は、胴部を掴むもののように人力ではなく機械力によって掴むものであるため強い掴み力を常に一定して維持できることとなり、この結果、魚が急に暴れたときに掴みが外れて魚を落としてしまうようなことを効果的に回避できるという利点がある。
このような魚の口元を掴む魚掴み器として、従来、手で把持する（握る）ための把持部（握り部）と、魚の口を掴むための歯体と該歯体の開閉操作をする操作体が設けられた本体部とを直線状になる状態で一体的に設けたものが提唱されている（例えば特許文献１参照。）が、このものは、把持部が、五本の指で握ることができる長いものになっているため、確りとした把持ができるという利点はあるものの、魚掴み器自体が重く大型なものになってしまうという問題がある。
そこで把持部を、該把持部を把持した場合に小指が外れる程度の短いものとなる状態で本体部の操作体を囲繞する枠部から一体的に延出した構成のものが提唱されている（例えば特許文献２参照）。
【先行技術文献】
【特許文献】
【０００３】
【特許文献１】ＵＳＰ５１１９５８５号公報
【特許文献２】意匠登録第１３４８８０７号公報
【考案の概要】
【考案が解決しようとする課題】
【０００４】
そしてこのように構成することにより魚掴み器を軽量コンパクト化することができたが、このものは、把持部が、操作体の操作をしたときに拡開する可動歯側に向けて折曲（湾曲）しているものであるため、把持部を把持したときに固定歯側が上側に位置する状態での把持を誘導されることになって好適なものであるが、把持部が短いため、魚が暴れた場合に対応できず手を放しやすいだけでなく、該把持部を持った状態で掴んだ魚を吊り上げた（持上げた）場合に、固定歯と可動歯との先端突き合せ部が、折曲した可動歯側に偏倚した状態となり、この状態で魚をリリースすべく操作体操作をした場合に、口中に入っている固定歯が口中で引っ掛って口を痛める（傷付ける）惧れがあり、この結果、把持部の折曲を大きくしてより把持しやすい形状にすることができない等の問題がある。
これに対し、掴んだ魚の体重を測定できる重量計付きの魚掴み器において、把持部を本体部に対して可動歯側に折曲した折曲姿勢と直線状になる直線姿勢とに揺動切換え操作できる構成にし、魚を掴むときには折曲姿勢にし、重量測定するときには直線姿勢にできるようにしたものが提唱されているが、これらの姿勢に切換えるためには切換え操作が必要であるだけでなく、重量計がないものについては、依然として従前の問題があり、これらに本考案の解決すべき課題がある。
【課題を解決するための手段】
【０００５】
本考案は、上記の如き実情に鑑みこれらの課題を解決することを目的として創作されたものであって、請求項１の考案は、先端側に釣り上げた魚の口を挟持状に掴むべく開閉する一対の歯体が設けられ、基端側に歯体の開閉操作をするための操作体が設けられた本体部と、該本体部の基端側部位から延設され、手で把持するための把持部とを備えて構成される魚掴み器において、前記本体部と把持部とは、把持部に対して本体部が垂下する垂下姿勢と、折曲する折曲姿勢とに変姿するよう揺動自在に軸支されると共に、本体部と把持部とのあいだには、自然状態で折曲姿勢になるよう付勢する付勢弾機が設けられていることを特徴とする魚掴み器である。
請求項２の考案は、歯体は、操作体操作に連動して開放移動する第二歯体と、操作体操作があっても不動のままか、第二歯体より移動量が小さい第一歯体とからなり、把持部の本体部に対する折曲姿勢は、把持部が第二歯体側に向けて折曲するものであることを特徴とする請求項１記載の魚掴み器である。
請求項３の考案は、把持部は、第二歯体側に向けて湾曲していることを特徴とする請求項１または２記載の魚掴み器である。
請求項４の考案は、把持部の揺動範囲は、第二歯体側に折曲した折曲姿勢から垂下姿勢を越えて第一歯体側に折曲した逆側の折曲姿勢までの範囲であることを特徴とする請求項４記載の魚掴み器である。
【考案の効果】
【０００６】
請求項１の考案とすることにより、把持部を短いものにできて魚掴み器の軽量コンパクト化が図れながら、該把持部が、本体部に対して揺動自在になっていることで、魚が暴れた場合の負荷を、本体部に対して把持部が揺動することで緩和できるが、この場合、さらに付勢弾機による付勢力が作用することになって魚が暴れた場合に把持部に働く負荷を吸収でき、この結果、把持部が手から外れてしまうことを効果的に防止できることになる。
請求項２の考案とすることにより、把持部は、自然状態では大きく移動する第一歯体側に折曲しているため、把持部を把持したときに、自然と第一歯体が上側に位置する状態での把持となって、該第一歯体を魚の口に入れての掴み操作が容易になる。
請求項３の考案とすることにより、把持部が第二歯体側湾曲していることで、把持部の把持がしやすいだけでなく、把持部を把持する際に逆姿勢で把持することを効果的に防止できることになる。
請求項４の考案とすることにより、把持部は、第二歯体側だけでなく、垂下姿勢を越えて第一歯体側に折曲した逆側の折曲姿勢まで揺動できるため、魚が暴れた場合の負荷緩和をより確実にできることになって、把持部が手から外れてしまうことをより確実に防止できることになる。
【図面の簡単な説明】
【０００７】
【図１】魚掴み器の閉鎖姿勢の状態を示す正面図である。
【図２】魚掴み器の開放姿勢の状態を示す正面図である。
【図３】魚掴み器の第一本体部材を除外した閉鎖姿勢の状態を示す正面図である。
【図４】魚掴み器の第一本体部材を除外した開放姿勢の状態を示す正面図である。
【図５】（Ａ）（Ｂ）は魚掴み器の閉鎖姿勢、開放姿勢の状態を示す縦断面図である。
【図６】（Ａ）（Ｂ）（Ｃ）は第一本体部材の正面図、背面図、側面図である。
【図７】（Ａ）（Ｂ）（Ｃ）は第二本体部材の正面図、背面図、側面図である。
【図８】（Ａ）（Ｂ）（Ｃ）は第一可動歯の正面図、背面図、側面図である。
【図９】（Ａ）（Ｂ）（Ｃ）は第二可動歯の正面図、背面図、側面図である。
【図１０】（Ａ）（Ｂ）（Ｃ）は操作体の正面図、側面図、縦断面図である。
【図１１】（Ａ）（Ｂ）は第一、第二可動歯の閉鎖姿勢、開放姿勢の状態を示す概略正面図である。
【図１２】魚掴み器の側面図である。
【図１３】（Ａ）（Ｂ）（Ｃ）は把持部が第二折曲姿勢、垂下姿勢、第一折曲姿勢になった状態を示す要部正面図である。
【図１４】（Ａ）（Ｂ）は把持部の正面図、側面図である。
【考案を実施するための形態】
【０００８】
次ぎに、本考案の実施の形態について図面に基づいて説明する。図中、１は魚掴み器であって、該魚掴み器１は本体部２を備え、該本体部２は、本体部２の表裏面板となるよう表裏方向に積層される板状の第一、第二本体部材３、４を備えて構成されるが、第一、第二本体部材３、４は表裏方向に間隙を存して対向している。そして該魚掴み器１は、第一、第二本体部材３、４の間隙に挟持（介装）される状態で、本体部２の先端（一端）側から第一、第二の可動歯（歯体）５、６が背反する（相反する）左右方向に突出し、後端（他端、基端）側からは、第二可動歯６側に湾曲した状態の把持部（握り部）７が突出した先後方向に長い長尺物として構成されている。
尚、本実施の形態においては、魚掴み器１は、前述したように長尺物に形成され、可動歯５、６が突出する側を長尺方向（図１において上下方向）の先端（下端）側、把持部７が突出する側を長尺方向の後端（上端）側としてこの長尺方向を先後方向とし、第一、第二本体部材３、４の積層方向を表裏方向（第一本体部３が設けられる側（図１において紙面の上側）を表側、第二本体部４が設けられる側を裏側とする方向）とし、さらに図１において、本体部２に対して第一可動歯５が突出する側を左側、第二可動歯６が突出する側を右側とする方向付けをして説明するが、これらの方向付けは、本実施の形態を説明するうえでの便宜上のものであって、魚掴み器を表現する際の方向付けについては必要において適宜設定できるものであって、本実施の形態の方向付けの定義に限定されないものであることは言うまでもない。
【０００９】
前記第一、第二可動歯５、６の後側半部５ａ、６ａは、第一、第二本体部材３、４の先側半部３ａ、４ａによって表裏方向両側から覆蓋されているが、該第一、第二本体部材３、４の先側半部３ａ、４ａには有底（有天）状の支持孔３ｂ、４ｂが設けられ、該支持孔３ｂ、４ｂに揺動軸８の表裏両端縁部が嵌入支持されている。そして該揺動軸８は、第一、第二可動歯５、６の後側半部５ａ、６ａの後側部位に形成される貫通孔５ｂ、６ｂに貫通しており、これによって前記第一、第二可動歯５、６は、後側半部５ａ、６ａが表裏に積層される状態（本実施の形態においては、第一可動歯５の後側半部５ａが表側に積層される状態）で揺動軸８の軸心Ｏを中心として左右方向開閉揺動自在に軸支されている。
【００１０】
一方、９は前記第一、第二可動歯５、６を揺動操作するため設けられる操作体（トリガー）であって、該操作体９は、後側半部となる操作部９ａと先側半部となる作動部９ｂとを備えて構成されるが、操作部９ａには孔形状をした内窓部９ｃが形成され、該内窓部９ｃの後側縁部が係止部９ｄとなっている。そして操作体９は、第一、第二本体部材３、４のあいだに表裏挟持される状態で内窓部９ｃが、第一、第二本体部材３、４の後側半部３ｃ、４ｃに形成した外窓部（枠部）３ｄ、４ｄの先側半部に位置するよう配されており、これによって前記係止部９ｄが、外窓部３ｄ、４ｄの先後方向中間部位に位置する状態となっていて、本体部２の後端部位と共に把持部７を握った（把持した）手の指（通常は人差し指）を係止部９ｄに係止して（引っ掛けて）後方側への引き操作ができるように構成されている。
【００１１】
前記操作体９には、内窓部９ｃの先側縁部から先端側に向けて続く状態で表裏貫通する無底形状のガイド部９ｅが長溝状に形成されるが、該ガイド部９ｅの後端部には、第一、第二本体部材３、４の先後方向中間部位を固定（一体化）するため第一本体部材３から第二本体部材４側に向けて螺入した固定軸１０が、該固定軸１０に外嵌するスペーサ１０ａを介して先後方向移動（摺動）自在に貫通している。尚、固定軸１０は、第一本体部３に設けた支持溝３ｈを貫通し、第二本体部４に設けたネジ孔４ｈに螺入するようになっている。
前記ガイド部９ｅは、先端縁が操作部９ａと作動部９ｂとの境界部９ｆにまで至るが、該境界部９ｆからは、ガイド部９ｅに対して左右方向に間隙を存する状態で後端側に向けて支持杆９ｇが延設されており、コイル弾機によって構成された復帰弾機１１が、先端側を該支持杆９ｇに外嵌し、後端側をスペーサ１０ａに設けた突起部１０ｂに外嵌する状態で、境界部９ｆと固定軸１０とのあいだに弾圧状に介装されている。
さらに作動部９ｂには、境界部９ｆよりも先端側位置に前記軸心Ｏを通る移動直線Ｘに沿うようにして案内長孔９ｋが形成されているが、該案内長孔９ｋの後端部に前記揺動軸８が移動自在に貫通している。そして操作体９は、係止部９ｄに係止した指を後端側に向けて引き操作することにより、固定軸１０の軸心と前記揺動軸８の軸心Ｏとを通る移動直線Ｘに沿う状態で、前記復帰弾機１１の付勢力に抗して先後方向に移動するように設定されており、このように操作体９を操作した場合に、固定軸１０はガイド部９ｅを先端側に向けて相対移動し、揺動軸８は案内長孔９ｋを先端側に向けて相対移動することになり、そして該移動した操作体９は、前記引き操作した指を係止部９ｄから離すことにより、復帰弾機１１の蓄勢された付勢力を受けて先方側に移動して元位置に復帰移動するよう設定されている。
【００１２】
一方、前記操作体作動部９ｂは、第一、第二可動歯５、６の後側半部５ａ、６ａに表裏挟持（本実施の形態では、第一可動歯５の後側半部５ａが表側に位置する状態で挟持）されているが、該作動部９ｂの揺動軸８よりも先端側部位には、前記移動直線Ｘ上に位置して移動軸１２が操作体９と一体移動するよう支持孔９ｊに支持されている。そして該移動軸１２の表裏両端縁部は、第一、第二本体部材３、４の先側半部３ａ、４ａに前記移動直線Ｘに沿うよう有底長溝状に形成したガイド溝部３ｅ、４ｅの先端部位に移動（摺動）自在に嵌入しており、これによって移動軸１２は、閉鎖姿勢に位置するときの軸心位置が移動始端位置Ｓとなるように設定されている。
そしてこの閉鎖姿勢の状態から、前述したように操作体９を後端側に引き操作した場合に、移動軸１２は、ガイド溝部３ｅ、４ｅに案内されながら、移動直線Ｘ上を移動始端位置Ｓから後端側に向けて移動（摺動）して移動終端位置Ｅに至るように構成されている。
因みに本実施の形態においては、前記操作体９の先後方向の移動は前述したように移動直線Ｘに沿う移動となるが、本実施の形態ではこの移動直線Ｘに沿う方向の移動精度を高めるため、第一、第二本体部材３、４間に設けた位置決め体１３が、操作体操作部９ａのガイド部９ｅが形成される部位の左右両端縁部９ｈおよび該部位の左側に形成した長溝状のガイド孔９ｉに摺接状に当接案内するよう構成されている。
【００１３】
一方、第一、第二可動歯５、６の前記後側半部５ａ、６ａは、第一、第二本体部３、４の先側半部３ａ、４ａと操作体９の作動部９ｂとのあいだに挟持されているが、該後側半部５ａ、６ａの貫通孔５ｂ、６ｂよりも先端側に位置する状態で無底溝形状の第一、第二の誘導部５ｃ、６ｃが形成されるが、該第一、第二誘導部５ｃ、６ｃには前記移動軸１２が移動（摺動）自在に貫通している。
【００１４】
つまり第一、第二誘導部５ｃ、６ｃは、図１１（Ａ）に示すように、第一、第二可動歯５、６が閉鎖姿勢の状態では、先端部が前記移動直線Ｘ上に位置するガイド溝部３ｅ、４ｅの先端部と一致するよう設けられ、ここに前記移動軸１２が貫通していて、ガイド溝部３ｅ、４ｅの移動始端位置Ｓが第一、第二誘導部５ｃ、６ｃにおける移動軸１２の移動始端位置Ｓ１、Ｓ２と一致し、そして後端側ほど移動直線Ｘから離間して左右方向外方に位置するよう直線状態で背反方向に傾斜する無底（貫通）長溝状のものとして形成されている。
具体的には、第一誘導部５ｃは、第一、第二可動歯５、６が閉鎖姿勢の状態で前記移動直線Ｘ上に位置する移動始端位置Ｓ１（Ｓ）を基準として右側（第二可動歯６側）に向けて直線状に傾斜する誘導直線Ｙ１に沿うよう形成されている。これに対して第二誘導部６ｃは、前記移動直線Ｘ上に位置する移動始端位置Ｓ２（Ｓ）を基準として左側（第一可動歯５側）に向けて直線状に傾斜する誘導直線Ｙ２に沿うよう形成されている。
【００１５】
そしてこのように第一、第二誘導部５ｃ、６ｃが形成されていることにより、前記操作部９を操作して移動軸１２を、移動直線Ｘに沿って移動始端位置Ｓから移動終端位置Ｅに向けて後端側に移動させると（図１１（Ｂ）参照）、該移動する移動軸２は、第一、第二誘導部５ｃ、６ｃを、誘導直線Ｙ１、Ｙ２に沿う状態で後端側に向けて移動始端位置Ｓ１、Ｓ２から移動終端位置Ｅ１、Ｅ２に向けてを強制的に移動することになり、これによって第一、第二可動歯５、６は、前記揺動軸８を軸心Ｏとして、先側半部である歯部５ｄ、６ｄの先端が互いに当接する閉鎖姿勢から左右方向相反する（背反方向）外方に向けて開放揺動して相互に離間する開放姿勢になるよう誘導案内されることになるが、このものでは、第一可動歯５、６が閉鎖姿勢の状態で、第一、第二誘導部５ｃ、６ｃの移動始端位置Ｓ１、Ｓ２（両者とも共通位置）と終端位置Ｅ１、Ｅ２とを結んだ前記誘導直線（傾斜線、傾斜直線）Ｙ１、Ｙ２の移動直線Ｘに対する傾斜角θ１、θ２を、第一誘導部５ｃの方が第二誘導部６ｃよりも小さくなる（θ１＜θ２）よう設定することで、第一可動歯５の先端部５ｆ、６ｆ同士の当接位置Ｚからの移動幅Ｚ１が第二可動歯６の移動幅Ｚ２よりも小さく（Ｚ１＜Ｚ２）なるよう調整され、このようにして本考案の移動幅調整手段が実施されている。
しかもこのものでは、閉鎖姿勢となった状態での第一、第二可動歯５、６の先端部５ｆ、６ｆ同士の当接位置Ｚが、前記揺動軸８および移動軸１２の軸心を通る移動直線Ｘに対して第二可動歯６側に偏倚した位置になるよう設定されているため、両可動歯５、６を開放姿勢にした場合に、第一可動歯５の先端部５ｆは、前記偏倚した分、移動直線Ｘからの位置ズレが小さいものになり、この結果、第一可動歯５を口中に差し込む際に、先端部５ｆを移動中心に位置させた状態での差し込みができることになって操作性が向上する。
【００１６】
さらに本実施の形態においては、第一、第二可動歯５、６の後側半部５ａ、６ａに、前記軸心Ｏを軸心とする円弧形状をした無底のガイド溝部５ｅ、６ｅが、前記第一、第二誘導部５ｃ、６ｃよりも左右方向外方に位置する状態で形成されているが、該ガイド溝部５ｅ、６ｅの左右方向外端部には、第一、第二本体部材３、４の先側半部３ａ、４ａ同士を連結すべく設けられる第一、第二の案内支軸１４、１５が移動（摺動）自在に貫通している。そして前述したように操作体９を引き操作することに伴い第一、第二可動歯５、６が開放揺動した場合に、第一、第二案内支軸１４、１５は、ガイド溝部５ｅ、６ｅを、左右方向外端部から内端部側に向けて相対移動するように設定されており、これによって第一、第二可動歯５、６の開閉揺動は、ガイド溝部５ｅ、６ｅによる第一、第二案内支軸１４、１５の案内を受ける状態で実行されるようになっていて第一、第二可動歯５、６の精度の良い安定した開放揺動が実行できるように配慮されている。
因みに、本実施の形態のものでは、第一、第二可動歯５、６が閉鎖姿勢になった場合に、歯部５ｄ、６ｄの先端部５ｆ、６ｆは互いに齟齬する噛み合い状態（雄雌嵌合状態）で当接するよう設定されている。
【００１７】
また前記把持部７は、先端部が第一、第二本体部材３、４の後端部に挟持される状態で、該第一、第二本体部材３、４を連結するべく支持孔３ｇ、４ｇに取り付けた取付け支軸１６に揺動自在に軸支されているが、本実施の形態では、第一、第二本体部材３、４の後端部に、取付け支軸１６を軸心とする円弧状の溝部３ｆ、４ｆが設けられている一方、把持部７の先端部には前記溝部３ｆ、４ｆに移動（摺動）自在に内嵌する状態で作動体７ａが一体的に設けられている。そして把持部７は、作動体７ａと第二本体部材４側の溝部４ｆとのあいだに介装した付勢弾機１７の付勢力を受けて、第二可動歯６側に折曲（屈曲）した第二の折曲姿勢側に向けて付勢（弾圧）された構成になっている。そしてこの場合に把持部７は、付勢弾機１７の付勢力を受けた自然状態で、作動体７ａが溝部３ｆ、４ｆの一端部に当接してこれ以上の折曲が規制されるように設定されている。
そして魚掴み器１は、魚を掴んだ状態（垂下荷重のある状態）で把持部７を把持して持ち上げた場合に、前記第二の折曲姿勢から魚の自重を受ける自然の垂下状態になって垂下姿勢となるが、この垂下姿勢は、前記付勢弾機１７の付勢力に抗する状態で垂下するようになっている。
【００１８】
さらに把持部７は、前記垂下姿勢を越えて前記第二の折曲姿勢とは逆の第一可動歯５側に折曲した第一の折曲姿勢に変姿できるようになっているが、第一の折曲姿勢となった場合、付勢弾機１７は最小状態に縮小されることになってこれ以上の折曲が規制されるように設定されている。
【００１９】
また把持部７は、取り付け支軸１６に軸支される先端部７ｂが肉薄状態となって第一、第二本体部材３、４に摺動自在に挟持されており、これによって前記垂下姿勢から第一、第二可動歯５、６側に揺動自在になっているが、該先端部７ｂからは、取り付け支軸１６を左右に挟む状態で、左右対向間隔が先端側で幅広で、基端側ほど幅狭となるよう左右一対の脚片部７ｃ、７ｄが延設され、基端縁部７ｅで合体された略三角形状をしているが、把持部７自体、基端側ほど第二可動歯６側に湾曲した形状になっている。
【００２０】
そして把持部７がこのように構成されることで、該把持部７は、自然状態では、付勢弾機１７の付勢力を受けて作動体７ａが溝部４ｆの第二可動歯６側の端縁に当接する第二折曲姿勢に保持（維持）されている（図１３（Ａ）参照）が、第一、第二可動歯５、６で魚の口を掴んだ状態で把持部７を把持して持上げた（吊上げた）状態では、本体部２は、魚の自重を受けることで把持部７に対して付勢弾機１７の付勢力に抗する状態で垂下姿勢に変姿する（図１３（Ｂ）参照）ことになるが、このような持上げ状態で魚が暴れた場合に、本体部２は、第二可動歯６側だけでなく、第一可動歯５側にも揺動した第一折曲姿勢（図１３（Ｃ）参照）に変姿できることになり、この結果、魚の暴れにより把持部７に働く負荷を、垂下姿勢を基準として前後方向（左右方向）揺動できることになって吸収することができ、この結果、把持部が手から外れてしまうことを効果的に防止できるように設定されている。
【００２１】
叙述の如く構成された本考案の実施の形態において、魚掴み器１は、先端側に釣り上げた魚の口を挟持状に掴むべく開閉する第一、第二の可動歯５、６が設けられ、基端側に歯体の開閉操作をするための操作体９が設けられた本体部２と、該本体部２の基端側部位から延設され、手で把持するための把持部７とを備えたものであるが、把持部７は、本体部２に対して垂下する垂下姿勢と、本実施の形態においては可動角度が大きい第二可動歯６側に向けて折曲する折曲姿勢とに変姿するよう揺動自在に軸支されると共に、自然状態では該第二可動歯６側に折曲した第二折曲姿勢になるよう付勢する付勢弾機１７が設けられているため、把持部７を短いものにできて魚掴み器１の軽量コンパクト化を図ることができながら、該把持部７が、本体部２に対して揺動自在になっていることで、口を掴んだ魚を、把持部７を持った状態で吊上げた場合に、本体部２が把持部７に対して自然に垂下する垂下姿勢になって、第一、第二歯体５、６同士の先端歯部が真下に位置する状態になり、この結果、操作体９の操作をして魚をリリースする際に、口中に入っている第一可動歯５が口に引っかかって今うような不具合を回避できると共に、魚掴み器１は、魚が暴れた場合の負荷を、本体部２に対して把持部７が揺動することで緩和できるが、この場合、さらに付勢弾機１７による付勢力が作用することになって魚が暴れた場合に把持部に働く負荷を吸収でき、この結果、把持部が手から外れてしまうことを効果的に防止できることになる。
そしてこのようであるから、自然状態における把持部７の本体部２に対する折曲角度を大きくしてより把持しやすい構造にすることができる。
【００２２】
またこの場合に、把持部７が付勢弾機１７の付勢力を受けて折曲する側が、操作体９の操作に連動して大きく開放移動する第二可動歯６側であって、操作体９の操作があっても第二可動歯６よりも移動量が小さい第一可動歯５側ではないため、自然状態で前記第二折曲姿勢に折曲している把持部７を普通に把持した場合に、動きの小さい第一可動歯５が上側に位置する把持状態となって、該動きの小さい第一可動歯５を魚の口に入れての掴み操作が容易になる。
しかもこの場合に把持部７は、第二可動歯６側に向けて湾曲しているため、第一可動歯５を上側にする把持部７の把持がしやすいだけでなく、逆姿勢で把持することを効果的に防止できることになる。
【００２３】
そのうえこの場合に、把持部７の揺動範囲は、第二歯体側に折曲した第二の折曲姿勢から垂下姿勢を越えて第一歯体側に折曲した第一の折曲姿勢までの範囲であるため、把持部７は、第二可動歯６側の第二折曲姿勢だけでなく、垂下姿勢を越えて第一可動歯５側にまで折曲した第一の折曲姿勢にまで揺動できるため、魚が暴れた場合の負荷緩和をより確実にできることになって、把持部が手から外れてしまうことをより確実に防止できることになる。
【００２４】
尚、本考案は、前記実施の形態のものに限定されないものであることは勿論であって、第一、第二歯体の開閉移動の構成を、前記特許文献１のように等角度で開閉移動するようにしたもの、特許文献２のように第二歯体は開閉移動するが第一歯体は操作体９を操作しても不動のものにおいても実施することができ、第一歯体が不動のものである場合、把持体７は第二歯体側に折曲したものとすることが好ましい。
また把持部の折曲規制をする構成として、本実施の形態では作動体７ａの溝部内での移動規制をすることで行ったが、把持部自体の肉厚を調整することで行うようにしてもよく、本体部を構成する第一、第二本体部材３、４のあいだに規制部材を設けることで規制するようにしてもよいことは勿論である。
【産業上の利用可能性】
【００２５】
本考案は、魚釣りにおいて釣り上げた魚等の魚を、該魚の口元を内外から挟持状に掴んだ状態で持ち上げることができる魚掴み器として利用することができる。
【符号の説明】
【００２６】
１  魚掴み器
２  本体部
３、４  本体部材
５  第一可動歯
６  第二可動歯
７  把持部
９  操作体
１６  取付け支軸
１７  付勢弾機
【図１】
0003229016.tif 000003
【図２】
0003229016.tif 000004
【図３】
0003229016.tif 000005
【図４】
0003229016.tif 000006
【図５】
0003229016.tif 000007
【図６】
0003229016.tif 000008
【図７】
0003229016.tif 000009
【図８】
0003229016.tif 000010
【図９】
0003229016.tif 000011
【図１０】
0003229016.tif 000012
【図１１】
0003229016.tif 000013
【図１２】
0003229016.tif 000014
【図１３】
0003229016.tif 000015
【図１４】
0003229016.tif 000016